(57)【要約】【課題】  イベントチケットを申込、発行を簡便に行えるとともに、当該チケットの多様化を図り、しかもダフ屋行為等の不当販売を防止し、また偽造防止を図ることができるチケット発行システムを提供する。【解決手段】  ユーザ３のイベントチケットの購入申込の受付、ユーザの認証などを行う受付、認証部１１と、ユーザの登録、イベントチケットの種別、席等の登録を行う登録データベース部１２と、チケット料金を決済するための決済部１３と、この決済によりチケット発券処理を行う発券処理部１４とを備え、この発券処理部１４は、電子チケット生成部１５、グッズプリント部１６、更に紙チケットプリント部１７において各種チケットを形成するように構成される。【選択図】図１
2014081907.tif 000002
【特許請求の範囲】
【請求項１】
ユーザのインターネットを介しての購入申込によってイベントチケットを発行するチケット発行システムであって、
ユーザのイベントチケットの購入申込の受付、ユーザの認証などを行う受付、認証部と、ユーザの登録、イベントチケットの種別、席等の登録を行う登録データベース部と、チケット料金を決済するための決済部と、この決済によりチケット発券処理を行う発券処理部とを備え、
この発券処理部は、電子チケット生成部を備え、この電子チケット生成部においてチケット情報を含んだ電子チケットを生成し、これをユーザ側の携帯通信端末に送信することにより電子チケットとして使用可能に構成されていることを特徴とするチケット発行システム。
【請求項２】
請求項１記載のチケット発行システムにおいて、
前記発券処理部は、電子チケット生成部と共に、各種のグッズにチケット情報をプリントするグッズプリント部を備え、これらの電子チケット、グッズチケットを併用して発行するように構成されていることを特徴とするチケット発行システム。
【請求項３】
請求項１または請求項２記載のチケット発行システムにおいて、
前記発券処理部は、紙チケットプリント部を更に備え、電子チケット、グッズチケットと共に、一般的な紙チケットをも併用して発行し得るように構成されていることを特徴とするチケット発行システム。
【請求項４】
請求項１ないし請求項３のいずれか１項に記載のチケット発行システムにおいて、
前記チケット発行システムは、前記グッズチケット部、紙チケット部で発行されたチケットを有するグッズ、紙チケットを発送する配送部を更に備えていることを特徴とするチケット発行システム。
【請求項５】
請求項１ないし請求項４のいずれか１項に記載のチケット発行システムにおいて、
前記受付、認証部では、電話番号等のユーザ情報による認証時に、ユーザの顔写真の登録を前提として認証を行い、チケット購入後は当該顔写真の変更は行えないように構成したことを特徴とするチケット発行システム。
【請求項６】
請求項１ないし請求項５のいずれか１項に記載のチケット発行システムにおいて、
前記電子チケット生成部、グッズチケット部、更に紙チケット部において得られるチケット情報には、偽造防止のためのマークが含まれてることを特徴とするチケット発行システム。
【発明の詳細な説明】
【技術分野】
【０００１】  本発明は、各種コンサート等を初めとする各種イベントの入場チケットを多様化を図って発行するチケット発行システムに関する。
【背景技術】
【０００２】  例えば音楽コンサート、演劇、映画等を初め、種々のイベントの入場チケットを、インターネットを介して購入することが一般的になっている。
すなわち、イベントの主催業者あるいはチケット販売を行うチケット仲介販売業者が主催するサイト上には、チケット発行システムが構築され、チケット購入を希望するユーザがＰＣ或いはスマートフォン等の携帯通信端末によりインターネットを介して当該システムに接続することにより、ユーザの認証、決済等を行うことで、チケット情報やバーコードを記載した入場チケットを発行することが、一般に行われるようになってきている（例えば、特許文献１参照）。【０００３】  更に、最近では、ユーザ側の携帯通信端末でチケット情報を受信することで、従前の紙チケットの代わりとなる電子チケットを発行することも行われるようになってきている。
【先行技術文献】
【特許文献】
【０００４】
【特許文献１】  特開２００５−１４１３４９号公報
【発明の概要】
【発明が解決しようとする課題】
【０００５】  しかしながら、上述した従来から知られているチケット発行システムでは、ユーザは紙チケットあるいは電子チケットを受取り、それを持参することで、イベントに入場しているだけのものであり、ユーザにとって面白みに欠ける。【０００６】  また、この種のイベントチケットでは、ダフ屋行為等の不当販売に対する対策、更に偽造等の問題に対する対策をも講じることが望まれている。【０００７】  本発明はこのような事情に鑑みてなされたものであり、イベントチケットを申込、発行を簡便に行えるとともに、電子チケット、グッズチケット、さらには紙チケットなどというように、当該チケットの多様化を図り、しかもダフ屋行為等の不当販売を防止し、また偽造防止を図ることができるチケット発行システムを得ることを目的とする。
【課題を解決するための手段】
【０００８】  このような目的に応えるために本発明（請求項１記載の発明）に係るチケット発行システムは、ユーザのインターネットを介しての購入申込によってイベントチケットを発行するチケット発行システムであって、ユーザのイベントチケットの購入申込の受付、ユーザの認証などを行う受付、認証部と、ユーザの登録、イベントチケットの種別、席等の登録を行う登録データベース部と、チケット料金を決済するための決済部と、この決済によりチケット発券処理を行う発券処理部とを備え、この発券処理部は、電子チケット生成部を備え、この電子チケット生成部においてチケット情報を含んだ電子チケットを生成し、これをユーザ側の携帯通信端末に送信することにより電子チケットとして使用可能に構成されていることを特徴とする。【０００９】  本発明（請求項２記載の発明）に係るチケット発行システムは、請求項１記載のチケット発行システムにおいて、前記発券処理部は、電子チケット生成部と共に、各種のグッズにチケット情報をプリントするグッズプリント部を備え、これらの電子チケット、グッズチケットを併用して発行するように構成されていることを特徴とする。【００１０】  本発明（請求項３記載の発明）に係るチケット発行システムは、請求項１または請求項２記載のチケット発行システムにおいて、前記発券処理部は、紙チケットプリント部を更に備え、電子チケット、グッズチケットと共に、一般的な紙チケットをも併用して発行し得るように構成されていることを特徴とする。【００１１】  本発明（請求項４記載の発明）に係るチケット発行システムは、請求項１ないし請求項３のいずれか１項に記載のチケット発行システムにおいて、前記チケット発行システムは、前記グッズチケット部、紙チケット部で発行されたチケットを有するグッズ、紙チケットを発送する配送部を更に備えていることを特徴とする。【００１２】  本発明（請求項５記載の発明）に係るチケット発行システムは、請求項１ないし請求項４のいずれか１項に記載のチケット発行システムにおいて、前記受付、認証部では、電話番号等のユーザ情報による認証時に、ユーザの顔写真の登録を前提として認証を行い、チケット購入後は当該顔写真の変更は行えないように構成したことを特徴とする。【００１３】  本発明（請求項６記載の発明）に係るチケット発行システムは、請求項１ないし請求項５のいずれか１項に記載のチケット発行システムにおいて、前記電子チケット生成部、グッズチケット部、更に紙チケット部において得られるチケット情報には、偽造防止のためのマークが含まれてることを特徴とする。
【発明の効果】
【００１４】  以上説明したように本発明に係るチケット発行システムによれば、発券処理部により、電子チケット生成部、グッズプリント部、更に紙チケットプリント部において各種チケットを形成するように構成しているので、簡単な構成であるにもかかわらず、イベントチケットを申込、発行を簡便に行えるとともに、当該チケットの多様化を図り、複数種類のチケットを発行することができ、ユーザにとっての利便性も向上する等の種々優れた効果を奏する。【００１５】  また、本発明によれば、イベントチケットとして得られる電子チケット、グッズチケット、紙チケットにおいて、偽造防止のためのマークを有しているから、ダフ屋行為等の不当販売を防止し、また偽造防止を図ることができる。
【図面の簡単な説明】
【００１６】
【図１】  本発明に係るチケット発行システムの一実施形態を示し、システム全体の概略構成を説明するためのブロック図である。
【図２】  本発明に係るチケット発行システムにおいて、イベントチケットの発行手順を説明するための説明図である。
【図３】  本発明に係るチケット発行システムで発行されたイベントチケットでイベント会場に入場する手順を説明するための説明図である。
【発明を実施するための形態】
【００１７】  図１ないし図３は本発明に係るチケット発行システムの一実施形態を示す。
図１において、全体を符号１で示すものは、インターネット２上に構築されたチケット発行システムであり、例えば各種イベントを主催する業者またはチケット販売を受託する仲介業者のサイト１０が設けられている。
【００１８】  ここで、図中３はチケット購入を行う多数のユーザであり、スマートフォン等の携帯通信端末４０又はパーソナルコンピュータＰＣ４１等で前記サイト１０にインターネット２を介してチケットの申込を行い、当該サイト１０でチケットの発行を行うようになっている。
また、５はイベント主催者等のクライアントであり、サイト運営者にチケット販売を委託している。
【００１９】  本発明によれば、上述した構成によるチケット発行システム１を、以下のように構成している。すなわち、このシステム１は、ユーザ３のイベントチケット２０の購入申込の受付、ユーザ３の認証などを行う受付、認証部１１と、ユーザ３の登録、イベントチケット２０の種別、席等の登録を行う登録データベース部１２と、チケット料金を決済するための決済部１３と、この決済によりチケット発券処理を行うチケット発券処理部１４とを備える。
【００２０】  この発券処理部１４は、電子チケット生成部１５と共に、各種のグッズにチケット情報をプリントするグッズプリント部１６を備え、これらの電子チケット２１、グッズチケット２２を併用して発行するように構成されている。
【００２１】  前記発券処理部１４は、紙チケットプリント部１７を更に備え、電子チケット２１、グッズチケット２２と共に、一般的な紙チケット２３をも併用して発行し得るように構成してもよい。
【００２２】  前記チケット発行システム１は、前記グッズチケット部１６、紙チケットプリント部１７で発行されたチケット２０を有するグッズ、紙チケットを発送する配送部１８を更に備えている。ここで、グッズチケット部１６としては、例えばＴシャツ等にチケット情報をプリントすることにより、グッズプリントとして活用する。
【００２３】  前記受付、認証部１１では、電話番号等のユーザ情報による認証時に、ユーザ３の顔写真の登録を前提として認証を行い、チケット購入後は当該顔写真の変更は行えないように構成している。
【００２４】  また、前記電子チケット生成部１５、グッズチケット部１６、更に紙チケットプリント部１７において得られるチケット情報には、偽造防止のためのマークが含まれてる。
【００２５】  以上のような構成によるシステム１０では、チケット２０の購入は、以下のようにして行う。すなわち、ユーザ３は、サイト１０に対し会員登録を行う。その後、ユーザ３は、サイト１０にアクセスすることにより、希望するチケット２０の購入を行う。
【００２６】  これを簡単に述べると、図２に示すように、ユーザ３がサイト１０にアクセスして必要事項を入力すると、サイト１０は、受付、認証部１１で受付、認証処理を行う。そして、ユーザ３は、購入するチケット２０を選択し、購入処理を行う。そして、決済部１３で決済処理を行うことで、購入処理が完了する。
【００２７】  すると、サイト１０のチケット発券処理部１４は、電子チケット生成部１５において、購入したチケット情報と共に、偽造防止効果をもつマーク３０をもつ電子チケット２１を生成し、ユーザ３側の携帯通信端末（スマートフォン等）４０に送信し、電子チケット２１として使用できるようになる。
【００２８】  また、グッズチケットプリント部１６において、Ｔシャツ等のグッズに同様の内容をプリントし、これをグッズチケット２２として使用できるようにする。そして、配送部１８で、購入したユーザ３に配送する。
このとき、紙チケット２３があるときは、これも同時に、あるいは別個に配送してもよい。
【００２９】  一方、このようなチケット２０を持参したユーザ３は、イベント会場の入口において、チェックを受け、有効なチケットであるか否かを判別する。そして、チケット情報やマーク３０が正しいと確認できると、イベント会場に入場が認められる。
【００３０】  なお、本発明は上述した実施の形態で説明した構造には限定されず、イベントチケット発行システム１を構成する各部の構造等を適宜変形、変更し得ることはいうまでもない。
たとえば上述した実施形態では、紙チケット２３も形成する場合を説明したが、本発明はこれに限定されず、電子チケット２１とＴシャツなどのグッズチケット２２を発行すればよい。
【符号の説明】
【００３１】  １  チケット発行システム
２  インターネット
３  ユーザ
５  クライアント
１０  サイト
１１  受付、認証部
１２  登録データベース部
１３  決済部
１４  チケット発券処理部
１５  電子チケット生成部
１６  グッズプリント部
１７  紙チケットプリント部
１８  転送部
２０  イベントチケット
２１  電子チケット
２２  グッズチケット
２３  紙チケット
３０  マーク
４０  スマートフォン
４１  パーソナルコンピュータ（ＰＣ）
【図１】
2014081907.tif 000003
【図２】
2014081907.tif 000004
【図３】
2014081907.tif 000005